(57)【特許請求の範囲】
【請求項１】
多角形の上部フレームと、
上記上部フレームと平行に備えられ、内側に支持フレームを有する下部フレームと、
上記上部フレームと下部フレームを連結して支持し、上記上部フレームの内側に連結される垂直フレームと、
上記上部フレームの断面と対応される多角形の断面を持ち、下板、胴体、蓋が下部から上側に順次結合され、上記上部フレームに挿入されるワイヤ容器を含んでおり、
上記ワイヤ容器には、下板、胴体、蓋の多角形の各辺の中央部に上記垂直フレームの外周縁と対応される溝が形成されていることを特徴とする溶接ワイヤ用ペールパック。
【請求項２】
上記垂直フレームは、上記上部フレームと下部フレームに両端がそれぞれ連結されるが、上記上部フレームの多角形の各辺の中央部と、上記下部フレームの所定位置に連結されている、
請求項１に記載の溶接ワイヤ用ペールパック。
【請求項３】
上記下部フレームは内側に多数の支持フレームが放射状に連結されて備えられている、  請求項１に記載の溶接ワイヤ用ペールパック。
【請求項４】
上記垂直フレームの中央部の外側には、上記上部フレーム及び下部フレームと平行に備えられる少なくとも一つの中間フレームが連結されている、
請求項１に記載の溶接ワイヤ用ペールパック。
【請求項５】
上記下部フレームは、上記上部フレームと対応される多角形に形成されるが、上記下部フレームの中央から各辺の中央部に連結される放射状の支持フレームが備えられている、  請求項１に記載の溶接ワイヤ用ペールパック。
【請求項６】
上記上部フレーム、下部フレーム、中間フレーム及びワイヤ容器の形状が八角形の形状からなる、
請求項１に記載の溶接ワイヤ用ペールパック。
【請求項７】
上記ワイヤ容器は、内側面に合成樹脂がコーティングされている、
請求項１に記載の溶接ワイヤ用ペールパック。
【発明の詳細な説明】
【技術分野】
【０００１】
本発明は、溶接ワイヤ用ペールパックに関し、より詳しくは、改善された構造を持つ溶接ワイヤ用ペールパックに関する。
【背景技術】
【０００２】
一般的に、長時間の溶接作業に所要される溶接用ワイヤの供給のために、溶接ワイヤ用ペールパックが提供されている。このような溶接ワイヤ用ペールパックは、長時間の溶接作業または連続溶接作業などにより、作業能率を向上させるために溶接ワイヤを大量に巻き取れる、溶接ワイヤ用ペールパックの使用量が増えている。
【発明の開示】
【発明が解決しようとする課題】
【０００３】
しかし、従来の溶接ワイヤ用ペールパックは、供給の便利性のためにだいたい使い捨て用に製作されて使用され、一部はリサイクルできるように溶接ワイヤ用ペールパックが供給された。
【０００４】
一方、成形の容易な紙材質の紙管を用いて製作されたペールパックは、使用後にリサイクルが容易であるが、重い荷重に耐えられなく破損されるという問題点があった。即ち、紙のみからなるペールパックの場合、内部に重い荷重の溶接用ワイヤが積載された状態での運搬が容易ではなく、保管時にも層をなして積める強度が持てなかった。
【０００５】
また、従来の円形のリング状の溶接ワイヤ用ペールパックは、内部に紙を巻いて造管した紙管が挿入され使用されることもある。しかし、上記紙管が挿入された溶接ワイヤ用ペールパックは、運搬の際に内部に挿入された紙管が左右に揺れたり、回転するなどの遊動により、上記紙管の内部に巻き取られた溶接ワイヤが縺れたり、毀損されるなどの問題点があった。
【０００６】
上記のような問題点を解決するために、本発明は溶接用ワイヤを巻き取って運搬、保管及び取り扱いが容易であるように、堅固性と耐久性を持つ溶接ワイヤ用ペールパックを提供することにその目的がある。
【課題を解決するための手段】
【０００７】
上記目的を達成するために、本発明の好適な実施形態による溶接ワイヤ用ペールパックは、多角形の上部フレームと、上記上部フレームと平行に備えられ、内側に支持フレームを有する下部フレームと上記上部フレームと下部フレームを連結して支持する垂直フレームと、上記上部フレームの断面と対応される多角形の断面を持ち、上記上部フレームに挿入されるワイヤ容器とを含えていることが好ましい。
【０００８】
このとき、上記垂直フレームは、上記上部フレームと下部フレームに両端がそれぞれ連結されるが、上記上部フレームの多角形の各辺の中央部と、上記下部フレームの所定位置に連結される。そして、上記下部フレームは、内側に多数の支持フレームが放射状に連結されて備えられ得る。
【０００９】
一方、上記ワイヤ容器は、上記上部フレームの内部空間と対応される多角形の蓋、胴体及び下板を含んでなることが好ましい。ここで、上記ワイヤ容器は、多角形の各辺の中央部に、上記上部フレームの内側に連結された垂直フレームの外周縁と対応される溝が形成されることが好ましい。
【００１０】
また、上記垂直フレームの中央部の外側には、上記上部フレーム及び下部フレームと平行に備えられる少なくとも一つの中間フレームが連結され得る。
そして、上記下部フレームは、上記上部フレームと対応される多角形に形成されるが、上記下部フレームの中央から各辺の中央部に連結される放射状の支持フレームが備えられることが好ましい。
【００１１】
一方、上記上部フレーム、下部フレーム、中間フレーム及びワイヤ容器の形状が八角形の形状からなることもできる。このとき、上記ワイヤ容器は、内側面に合成樹脂がコーティングされることが好ましい。
【発明の効果】
【００１２】
上記で説明した本発明による溶接ワイヤ用ペールパックの効果を説明すると、次の通りである。
【００１３】
第一、上部フレーム、下部フレーム及び垂直フレームを金属材質で製作することにより、溶接ワイヤ用ペールパックの外部ケースの内部に重い荷重の溶接用ワイヤが積載された状態で容易に運搬することができ、強度が高くて堅固であることにより、層をなして積んで保管することができる。
【００１４】
第二、溶接ワイヤ用ペールパックの外部ケースの内部に挿入されたワイヤ容器の多角形の各辺の中央部に、上記外部ケースの上部フレームの内側に連結された垂直フレームを形成することにより、内部に挿入されたワイヤ容器が上記垂直フレームにより拘束されることで、左右に揺れたり回転するなどの遊動なく運搬できるようになる。
【００１５】
第三、溶接ワイヤ用ペールパックの外部ケースの内部に挿入されたワイヤ容器の各辺の中央部に、垂直フレームの外周縁と対応される溝を形成することにより、内部に挿入されたワイヤ容器の左右揺れ及び回転などにおいて、微細な遊動さえもなくなるため、さらに改善できるようになる。
【発明を実施するための最良の形態】
【００１６】
以下、添付された図面を参照して本発明によるペールパックの好適な実施形態を詳しく説明する。
図１は、本発明の第１実施形態による溶接ワイヤ用ペールパックの分解斜視図である。
図１で示されたように、本発明の第１実施形態による溶接ワイヤ用ペールパック１００は、上部フレーム１１、下部フレーム１３、垂直フレーム１５、そしてワイヤ容器２０を含んでなることが好ましい。
【００１７】
ここで、上記上部フレーム１１は多角形に形成される。即ち、四角、六角または八角形などに備えられ得る。また、上記上部フレーム１１の各辺の中央部３２に垂直フレーム１５の上端が連結され、上記垂直フレーム１５の下端には、内側に少なくとも一つの支持フレーム１９が備えられた下部フレーム１３が連結される。
【００１８】
ここで、上記下部フレーム１３は、上記上部フレーム１１と対応される多角形の形状に備えられ得るが、これに限定されず、上記垂直フレームの下端と連結され得る形状でよい。
このとき、上記支持フレーム１９は、上記下部フレーム１３の内側に放射状に連結されて備えられることが好ましい。
【００１９】
従って、上記上部フレーム１１、下部フレーム１３、そして垂直フレーム１５を含んでなる外部ケース１０の内部空間に挿入されるワイヤ容器２０が、上記下部フレーム１３の内側に放射状に形成された支持フレーム１９の上面に安着する。
【００２０】
ここで、上記ワイヤ容器２０の断面は、上記上部フレーム１１を通過して挿入できるように、上部フレーム１１の断面と対応される多角形の形状からなる。従って、上記ワイヤ容器２０は、挿入の際に上記上部フレーム１１の内周縁によりガイドされながら位置が整列され、挿入後には上記ワイヤ容器２０の各面の中央部は、上記垂直フレーム１５と対向または接触する。
【００２１】
また、上記の挿入されたワイヤ容器２０の多角形の各面は、上記垂直フレーム１５に拘束されて運搬の際に回転することが防止されることにより、上記ワイヤ容器２０の内部に巻き取られた溶接用ワイヤが縺れたり、毀損されることが防止できる。
一方、上記ワイヤ容器２０は、蓋２１、胴体２３、そして下板２５からなることが好ましい。
【００２２】
そして、上記ワイヤ容器２０は、蓋２１、胴体２３、及び下板２５の内部にビニルコーティング、ラメラコーティング、ラミネートフィルム(laminating film)コーティングなどのように、合成樹脂を薄くコーティングして防湿性を向上させることもできる。
【００２３】
図２は、本発明の第１実施形態による溶接ワイヤ用ペールパックの結合斜視図である。
図２で示されたように、本発明の第１実施形態による溶接ワイヤ用ペールパック１００は、多角形の上部フレーム１１の各辺の中央部３２の外側に垂直フレーム１５の上端が連結され、上記垂直フレーム１５の下端には、内側に多数の放射状の支持フレーム１９が備えられた下部フレーム１３が連結されることにより形成される外部ケース１０の内部にワイヤ容器２０が挿入される。
【００２４】
このとき、上記ワイヤ容器２０の各辺の上端が、上記上部フレーム１１の内周縁に密着し、上記ワイヤ容器２０の下面が、上記下部フレーム１３の内側に備えられた多数個の放射状の支持フレーム１９の上面に安着する。
【００２５】
一方、図３は、本発明の第２実施形態による溶接ワイヤ用ペールパックの分解斜視図である。
図３で示されたように、本発明の第２実施形態による溶接ワイヤ用ペールパック１００は、上部フレーム１１、下部フレーム１３、垂直フレーム１５、そしてワイヤ容器２０を含んでなることが好ましい。
【００２６】
ここで、上記上部フレーム１１は多角形に形成される。即ち、四角、六角または八角形などに備えられ得る。また、上記上部フレーム１１の各辺の中央部３２の内側に垂直フレーム１５の上端が連結され、上記垂直フレーム１５の下端には、内側に少なくとも一つの支持フレーム１９が備えられた下部フレーム１３が連結される。
このとき、上記支持フレーム１９は、上記下部フレーム１３の内側に放射状に連結されて備えられることが好ましい。
【００２７】
従って、上記上部フレーム１１、下部フレーム１３、そして垂直フレーム１５を含んでなる外部ケース１０の内部空間に挿入されるワイヤ容器２０が、上記下部フレーム１３の内側に放射状に形成された支持フレーム１９の上面に安着する。
【００２８】
ここで、上記ワイヤ容器２０の断面は、上記上部フレーム１１の内側を貫通して挿入できるように、上部フレーム１１の断面と対応される多角形の形状からなる。従って、上記ワイヤ容器２０は、挿入の際に上記上部フレーム１１の内周縁によりガイドされて位置が整列され、挿入後には上記ワイヤ容器２０の各面の中央部は、上記垂直フレーム１５と対向または接触する。
【００２９】
また、上記の挿入されたワイヤ容器２０の多角形の各面は、上記垂直フレーム１５に拘束されて運搬の際に回転することが防止されることにより、上記ワイヤ容器２０の内部に巻き取られた溶接用ワイヤが縺れたり、毀損されることが防止できる。
一方、上記ワイヤ容器２０は、蓋２１、胴体２３、そして下板２５からなることが好ましい。
【００３０】
そして、上記ワイヤ容器２０は、蓋２１、胴体２３、及び下板２５の内部にビニルコーティング、ラメラコーティング、ラミネートフィルム(laminating film)コーティングなどのように、合成樹脂を薄くコーティングして防湿性を向上させることもできる。
【００３１】
また、上記ワイヤ容器２０の各辺の中央部３２には、上記上部フレーム１１の各辺の中央部３２の内側に連結される垂直フレーム１５の外周縁と対応される溝２７が形成されることが好ましい。
【００３２】
ここで、上記ワイヤ容器２０に溝２７が形成されることにより、上記外部ケース１０にワイヤ容器２０が挿入されるとき、上記垂直フレーム１５にのってガイドされることはもちろんのこと、上記ワイヤ容器２０が上記外部ケース１０の内部にさらに密着し、運搬の際に回転することが防止できる。
【００３３】
図４は、本発明の第２実施形態による溶接ワイヤ用ペールパックの結合斜視図である。
図４で示されたように、本発明の第２実施形態による溶接ワイヤ用ペールパック１００は、多角形の上部フレーム１１の各辺の中央部３２の内側に垂直フレーム１５の上端が連結され、上記垂直フレーム１５の下端には、内側に多数の放射状の支持フレーム１９が備えられた下部フレーム１３が連結されることにより形成される外部ケース１０の内部にワイヤ容器２０が挿入される。
【００３４】
このとき、上記ワイヤ容器２０の各辺の中央部３２に形成された溝２７が、上記上部フレーム１１の各辺の中央部３２の内側に連結された垂直フレーム１５の外周縁に密着し、上記下部フレーム１３の内側に備えられた多数個の放射状の支持フレーム１９の上部に安着する。
【００３５】
図５は、本発明の第２実施形態による溶接ワイヤ用ペールパックの平面図である。
図５で示されたように、本発明の第２実施形態による溶接ワイヤ用ペールパック１００は、上部フレーム１１の各辺の中央部３２に垂直フレーム１５の上端が連結され、内側に放射状の支持フレーム１９が備えられた下部フレーム１３に、上記垂直フレーム１５の下端が連結されることが好ましい。
【００３６】
ここで、上記のように構成された外部ケース１０の内部空間にワイヤ容器２０が安着し得る。また、上記ワイヤ容器２０は、上記垂直フレーム１５の外周縁と対応される形状の溝２７が備えられ、上記上部フレーム１１の各辺の中央部３２の内側に連結された垂直フレーム１５にスライディングされて上記外部ケース１０の内部空間に安着することにより、溶接ワイヤ用ペールパック１００の取り扱い時、上記ワイヤ容器２０が外部ケース１０の内部で回転するなどの遊動が防止できる。
【００３７】
図６は、本発明の第３実施形態による溶接ワイヤ用ペールパックの外部ケースの斜視図である。
図６で示されたように、本発明の第３実施形態による溶接ワイヤ用ペールパック１００の外部ケース１０は、多角形の上部フレーム１１と上記上部フレーム１１の各辺の中央部３２の内側に垂直フレーム１５の上端が連結され、上記垂直フレーム１５の下端には、内側に放射状の支持フレーム１９が備えられた下部フレーム１３が連結されることが好ましい。このとき、上記下部フレーム１３は上部フレーム１１と対応される形状に備えられ得る。
【００３８】
ここで、上記下部フレーム１３は多角形に形成されるが、上記下部フレーム１３の中央から各辺の中央部に連結される放射状の支持フレーム１９が備えられることが好ましい。
【００３９】
また、垂直方向に長く備えられた上記垂直フレーム１５の強度を補強するために、上記垂直フレーム１５の中央部には、上記上部フレームと対応される形状に少なくとも一つの中間フレーム１７が備えられることが好ましい。このとき、上記中間フレーム１７は、各辺の中央部３２の内側に垂直フレーム１５が連結されることが好ましい。
【００４０】
図７は、本発明の第４実施形態による溶接ワイヤ用ペールパックの外部ケースの斜視図である。
図７で示されたように、本発明の第４実施形態による溶接ワイヤ用ペールパック１００の外部ケース１０は、多角形の上部フレーム１１と上記上部フレーム１１の各辺の中央部３２の外側に垂直フレーム１５の上端が連結され、上記垂直フレーム１５の下端には内側に放射状の支持フレーム１９が備えられた下部フレーム１３が連結されることが好ましい。このとき、上記下部フレーム１３は上部フレーム１１と対応される形状に備えられ得る。
【００４１】
ここで、上記下部フレーム１３は多角形に形成されるが、上記下部フレーム１３の中央から各辺の中央部に連結される放射状の支持フレーム１９が備えられることが好ましい。
また、垂直方向に長く備えられた上記垂直フレーム１５の強度を補強するために、上記垂直フレーム１５の中央部には、上記上部フレームと対応される形状に少なくとも一つの中間フレーム１７が備えられることが好ましい。このとき、上記中間フレーム１７は、各辺の中央部３２の外側に垂直フレーム１５が連結されることが好ましい。
【００４２】
上記のように、垂直フレーム１５を上記上部フレーム１１、下部フレーム１３及び中間フレーム１７の各辺の中央部３２の外側に連結することにより、上記垂直フレーム１５により上記外部ケース１０の内部に安着するワイヤ容器２０が回転したり揺れるなどの遊動が防止されることはもちろんのこと、上記外部ケース１０の製造作業が容易になる。
【００４３】
一方、上記垂直フレーム１５はその長さが１／２に分割されて上部フレーム１１と中間フレーム１７に連結され、上記中間フレーム１７と下部フレーム１３に連結されることもある。
【図面の簡単な説明】
【００４４】
【図１】本発明の第１実施形態による溶接ワイヤ用ペールパックの分解斜視図。
【図２】本発明の第１実施形態による溶接ワイヤ用ペールパックの結合斜視図。
【図３】本発明の第２実施形態による溶接ワイヤ用ペールパックの分解斜視図。
【図４】本発明の第２実施形態による溶接ワイヤ用ペールパックの結合斜視図。
【図５】本発明の第２実施形態による溶接ワイヤ用ペールパックの平面図。
【図６】本発明の第３実施形態による溶接ワイヤ用ペールパックの外部ケースの斜視図。
【図７】本発明の第４実施形態による溶接ワイヤ用ペールパックの外部ケースの斜視図。
【符号の説明】
【００４５】
１０・・・外部ケース
１１・・・上部フレーム
１３・・・下部フレーム
１５・・・垂直フレーム
１７・・・中間フレーム
１９・・・支持フレーム
２０・・・ワイヤ容器
２１・・・蓋
２３・・・胴体
２５・・・下板
２７・・・溝
３２・・・中央部
１００・・・ペールパック
【図１】
0004503569.tif 000002
【図２】
0004503569.tif 000003
【図３】
0004503569.tif 000004
【図４】
0004503569.tif 000005
【図５】
0004503569.tif 000006
【図６】
0004503569.tif 000007
【図７】
0004503569.tif 000008